(57)【要約】【課題】既設上枠と新設上枠との間を確実に止水することが可能な改装サッシを提供すること。【解決手段】既設上枠１１０と、新設上枠１２０と、既設上枠１１０と新設上枠１２０との間に設けられるベース材１３０と、を備える改装サッシ１であって、既設上枠１１０は、屋外側の端部から下方に向けて延びる第１の屋外側壁部１１１を有し、新設上枠１２０は、屋外側の端部から上方に向けて延びて既設上枠１１０の第１の屋外側壁部１１１の屋外側に配置される第２の屋外側壁部１２２を有し、ベース材１３０は、屋外側の端部から上方に延びて第１の屋外側壁部１１１と第２の屋外側壁部１２２との間に配置される第３の屋外側壁部１３２を有し、第１の屋外側壁部１１１と第２の屋外側壁部１２２との間に、第１の止水材１６０が配置されていると共に、第３の屋外側壁部１３２の上端部１３２ａが、第１の止水材１６０よりも下に配置されている。【選択図】図４
2019157536.tif 000002
【特許請求の範囲】
【請求項１】
建物の開口部に残存する既設上枠と、前記既設上枠の内周側を覆うように取り付けられる新設上枠と、前記既設上枠と前記新設上枠との間に設けられるベース材と、を備える改装サッシであって、
前記既設上枠は、屋外側の端部から下方に向けて延びる第１の屋外側壁部を有し、
前記新設上枠は、屋外側の端部から上方に向けて延びて前記既設上枠の前記第１の屋外側壁部の屋外側に配置される第２の屋外側壁部を有し、
前記ベース材は、屋外側の端部から上方に延びて前記第１の屋外側壁部と前記第２の屋外側壁部との間に配置される第３の屋外側壁部を有し、
前記第１の屋外側壁部と前記第２の屋外側壁部との間に、第１の止水材が配置されていると共に、前記第３の屋外側壁部の上端部が、前記第１の止水材よりも下に配置されている、改装サッシ。
【請求項２】
前記ベース材は、少なくとも前記新設上枠の長さ方向の全長に亘って設けられ、
前記第１の止水材は、前記ベース材の長さ方向の全長に亘って設けられる、請求項１に記載の改装サッシ。
【請求項３】
前記第３の屋外側壁部の上端部は、前記第１の止水材の下側面に当接している、請求項１又は２に記載の改装サッシ。
【請求項４】
前記第２の屋外側壁部と前記第３の屋外側壁部との間に、第２の止水材が配置されている、請求項１〜３のいずれか１項に記載の改装サッシ。
【発明の詳細な説明】
【技術分野】
【０００１】
本発明は、建物に設けられている既設の窓を新たな窓に改装する改装サッシに関する。
【背景技術】
【０００２】
従来、既設の窓を改装する方法として、カバー工法が採用されている。このカバー工法によって改装された改装サッシでは、建物の開口部に取り付けられた既設枠に対して、その内周側を覆うように新設枠が取り付けられる（例えば、特許文献１参照）。
【先行技術文献】
【特許文献】
【０００３】
【特許文献１】特開２０１６−９４７７１号公報
【発明の概要】
【発明が解決しようとする課題】
【０００４】
改装サッシは、既設枠の内周側を覆うように新設枠を取り付けることにより構成されるため、既設枠と新設枠との間からの雨水の浸入防止を図る必要がある。特に、既設上枠と新設上枠との間から雨水が浸入するおそれがあるため、従来、改装サッシにおける既設上枠と新設上枠との間を確実に止水することが要望されている。
【０００５】
そこで、本発明は、既設上枠と新設上枠との間を確実に止水することが可能な改装サッシを提供することを目的とする。
【課題を解決するための手段】
【０００６】
（１）  本発明に係る改装サッシは、建物の開口部（例えば、後述の開口部２）に残存する既設上枠（例えば、後述の既設上枠１１０）と、前記既設上枠の内周側を覆うように取り付けられる新設上枠（例えば、後述の新設上枠１２０）と、前記既設上枠と前記新設上枠との間に設けられるベース材（例えば、後述の上枠ベース材１３０）と、を備える改装サッシ（例えば、後述の改装サッシ１）であって、前記既設上枠は、屋外側の端部から下方に向けて延びる第１の屋外側壁部（例えば、後述の屋外側壁部１１１）を有し、前記新設上枠は、屋外側の端部から上方に向けて延びて前記既設上枠の前記第１の屋外側壁部の屋外側に配置される第２の屋外側壁部（例えば、後述の屋外側壁部１２２）を有し、前記ベース材は、屋外側の端部から上方に延びて前記第１の屋外側壁部と前記第２の屋外側壁部との間に配置される第３の屋外側壁部（例えば、後述の屋外側壁部１３２）を有し、前記第１の屋外側壁部と前記第２の屋外側壁部との間に、第１の止水材（例えば、止水材１６０）が配置されていると共に、前記第３の屋外側壁部の上端部（例えば、後述の上端部１３２ａ）が、前記第１の止水材よりも下に配置されている。
【０００７】
（２）  （１）に記載の改装サッシにおいて、前記ベース材は、少なくとも前記新設上枠の長さ方向の全長に亘って設けられ、前記第１の止水材は、前記ベース材の長さ方向の全長に亘って設けられることが好ましい。
【０００８】
（３）  （１）又は（２）に記載の改装サッシにおいて、前記第３の屋外側壁部の上端部は、前記第１の止水材の下側面（例えば、後述の下側面１６０ａ）に当接していることが好ましい。
【０００９】
（４）  （１）〜（３）のいずれか１項に記載の改装サッシにおいて、前記第２の屋外側壁部と前記第３の屋外側壁部との間に、第２の止水材（例えば、後述の止水材１６１）が配置されていることが好ましい。
【発明の効果】
【００１０】
本発明によれば、既設上枠と新設上枠との間を確実に止水することが可能な改装サッシを提供することができる。
【図面の簡単な説明】
【００１１】
【図１】本発明の一実施形態に係る改装サッシの正面図である。
【図２】図１に示す改装サッシの縦断面図である。
【図３】図１に示す改装サッシの横断面図である。
【図４】図２に示す改装サッシの上側の要部を拡大して示す縦断面図である。
【図５】図２に示す改装サッシの下側の要部を拡大して示す縦断面図である。
【図６】図２に示す改装サッシの左側の要部を拡大して示す横断面図である。
【図７】図２に示す改装サッシの右側の要部を拡大して示す横断面図である。
【図８】改装サッシの既設枠の内周側にベース材が取り付けられた様子を示す斜視図である。
【図９】上枠ベース材の斜視図である。
【図１０】上枠ベース材を裏面側から見た部分斜視図である。
【図１１】取付け部材を屋内側から見た正面図である。
【図１２】取付け部材の縦断面図である。
【図１３】下枠ベース材の斜視図である。
【図１４】高さ調整機構を正面から見た断面図である。
【図１５】高さ調整機構を側面から見た断面図である。
【図１６】縦枠ベース材の裏面側を屋外側から見た斜視図である。
【図１７】本発明の他の実施形態に係る改装サッシの上枠の部分拡大断面図である。
【発明を実施するための形態】
【００１２】
以下、本発明の一実施形態について、図面を参照して詳しく説明する。
図１は、本発明の一実施形態に係る改装サッシの正面図であり、図２は、図１に示す改装サッシの縦断面図であり、図３は、図１に示す改装サッシの横断面図である。図４は、図２に示す改装サッシの上側の要部を拡大して示す縦断面図であり、図５は、図２に示す改装サッシの下側の要部を拡大して示す縦断面図であり、図６は、図２に示す改装サッシの左側の要部を拡大して示す横断面図であり、図７は、図２に示す改装サッシの右側の要部を拡大して示す横断面図である。また、図８は、改装サッシの既設枠の内周側にベース材が取り付けられた様子を示す斜視図である。
【００１３】
図１に示すように、本発明に係る改装サッシ１は、建物の開口部２の屋外側に装着され、上枠１００と、下枠２００と、左右一対の縦枠３００、４００により矩形に枠組みされた窓枠１０と、窓枠１０に開閉可能に納められる障子２０と、障子２０の屋内側の窓枠１０にスライド可能に納められる網戸３０と、を備える。開口部２の内周側には、四周に亘って額縁部材３が設けられている。図１は、改装サッシ１を屋外側から見た様子を示している。
【００１４】
図２、図３に示すように、本実施形態に示す障子２０は、四周に亘る框２１内に、屋内側及び屋外側の２枚のガラス２２、２２と、これらのガラス２２、２２で挟持されたスペーサ２３と、を備える複数ガラスからなるすべり出しタイプの障子であり、優れた断熱性を有する。障子２０は、屋内側に取り付けられたレバー２４の操作によって回動し、屋外側に向けて開放され、屋内側に向けて閉じられるように構成される。
【００１５】
網戸３０は、窓枠１０の四周に設けられる溝部１１内に納められている。図３に示すように、網戸３０は、左右方向に折り畳み可能な網部３１を有し、網部３１が折り畳まれた状態で、一方の縦枠３００側に収納されている。この網戸３０は、網部３１の端部に取り付けられた縦枠部３２を縦枠４００側に向けてスライドさせることにより障子２０の屋内側に展張され、縦枠部３２を縦枠３００側に向けてスライドさせることにより折り畳まれるように構成される。図３は、網戸３０を縦枠３００側に折り畳んだ状態を示し、網戸３０を展張させた状態を一点鎖線で示している。
【００１６】
次に、窓枠１０について説明する。
＜Ａ．上枠＞
先ず、上枠１００について説明する。図２、図４に示すように、上枠１００は、既設上枠１１０と、新設上枠１２０と、上枠ベース材１３０と、を含んで構成される。
【００１７】
ａ１．既設上枠
既設上枠１１０は、金属製の枠体からなり、建物の開口部２の上側部の屋外側に取り付けられている。既設上枠１１０は、屋外側の端部に、下方に向かって延びる屋外側壁部１１１を有する。この屋外側壁部１１１は、本発明の第１の屋外側壁部に対応する。屋外側壁部１１１は、図４に示すように、改装サッシ１に改装される前の既設上枠１１０に元々設けられていた既設側壁部１１１ａ（図４において破線で示す。）が切断された際に切り残された既設側壁部１１１ａの根元部分である。屋外側壁部１１１の下端部は、額縁部材３の内周面３ａの位置よりも上方に位置している。
【００１８】
また、既設上枠１１０は、屋内側の端部に、屋内側に向けて張り出すように延びるアングル部１１２を一体に有する。アングル部１１２は、額縁部材３の内周面３ａの屋外側の端部に固定されている。
【００１９】
既設上枠１１０には、更に、突出片１１３を有する。突出片１１３は、アングル部１１２の屋外側の端部から開口部２の内側（図２、図４の下側）に向けて突出している。この突出片１１３は、改装サッシ１に改装される前の既設上枠１１０に元々設けられていた既設突出片１１３ａ（図４において破線で示す。）が切断された際に切り残された既設突出片１１３ａの根元部分からなる突出片残部である。突出片１１３は、額縁部材３の内周面３ａよりも開口部２の内側に向けて突出している。本実施形態では、突出片１１３は、額縁部材３の内周面３ａよりも５ｍｍ程度内側（下方）に向けて突出している。
【００２０】
ａ２．新設上枠
新設上枠１２０は、上枠ベース材１３０を間に挟んで、既設上枠１１０の内周側に取り付けられる。新設上枠１２０は、主として金属製の枠体からなり、屋外側に、障子２０よりも更に屋外側に張り出した張出部１２１を有する。張出部１２１は、屋外側に向けて僅かに下り傾斜し、その先端部に上方に向けて立ち上がる屋外側壁部１２２を有する。この屋外側壁部１２２は、本発明の第２の屋外側壁部に対応する。屋外側壁部１２２は、既設上枠１１０の屋外側壁部１１１と対向するように略平行に延び、その屋外側壁部１１１の全体を屋外側から覆い隠すように配置されている。
【００２１】
屋外側壁部１２２には、屋内側に向けて突出する複数のリブ１２２ａ〜１２２ｃを有する。リブ１２２ａは、屋外側壁部１２２の上端部に配置されている。リブ１２２ｂ、１２２ｃは、リブ１２２ａよりも下方に配置され、後述する上枠ベース材１３０の屋外側壁部１３２に当接するように突出している。これらのリブ１２２ａ〜１２２ｃは、新設上枠１２０の全長に亘って平行に延びている。
【００２２】
新設上枠１２０は、屋内側の端部に、屋内側に向けて張り出すように延びる樹脂製のアングル部材１２３を有する。アングル部材１２３は、網戸３０が納められる溝部１１と一体に形成され、額縁部材３の内周面３ａから間隔をおいて配置されている。このアングル部材１２３と額縁部材３の内周面３ａとの間に樹脂製のアングルカバー１２４が取り付けられている。アングルカバー１２４と額縁部材３の内周面３ａとの境目は、樹脂製のＬ型の見切り材１２５によって遮蔽されている。見切り材１２５は、額縁部材３の内周面３ａに取付けねじ１２５ａによって固定されている。
【００２３】
新設上枠１２０は、上枠ベース材１３０との間にスペーサ部材１４０を介して、上枠ベース材１３０を貫通する複数の取付けねじ１２６ａ、１２６ｂによって固定される。取付けねじ１２６ａ、１２６ｂは、新設上枠１２０から上枠ベース材１３０を貫通している。
【００２４】
ａ３．上枠ベース材
上枠ベース材１３０は、既設上枠１１０と新設上枠１２０との間に配置される。図８に示すように、上枠ベース材１３０は、既設上枠１１０の内周側に１つだけ取り付けられ、既設上枠１１０の長さ方向の略全長に亘って延びている。上枠ベース材１３０は、新設上枠１２０の長さ方向の全長と同じか、又は、新設上枠１２０の長さ方向の全長よりも長く形成される。
【００２５】
上枠ベース材１３０の詳細を図９に示す。図９は上枠ベース材１３０の斜視図である。上枠ベース材１３０は金属製であり、ベース材本体１３１と、屋外側壁部１３２と、複数の突出部１３３ａ〜１３３ｄと、を一体に有する。
【００２６】
ベース材本体１３１は、上枠１００の延び方向に沿って延びる長尺な板状部材からなり、既設上枠１１０の内周側を長さ方向の略全長に亘り、且つ屋内外方向に亘って覆うことにより、新設上枠１２０のための略平坦な取付け面を形成する。ベース材本体１３１の屋内側の端部は、既設上枠１１０のアングル部１１２を覆うように、額縁部材３の内周面３ａ上に配置されている。
【００２７】
屋外側壁部１３２は、ベース材本体１３１の屋外側の端部から上方に向けて延びている。この屋外側壁部１３２は、本発明の第３の屋外側壁部に対応する。屋外側壁部１３２は、既設上枠１１０の屋外側壁部１１１と略平行に延び、新設上枠１２０の屋外側壁部１２２と既設上枠１１０の屋外側壁部１１１との間において、既設上枠１１０の屋外側壁部１１１の略下側半分を覆い隠すように配置されている。屋外側壁部１３２は、新設上枠１２０の屋外側壁部１２２に設けられたリブ１２２ｂ、１２２ｃと当接するように配置されるが、屋外側壁部１３２の上端部１３２ａは、リブ１２２ａよりも下方に配置されている。
【００２８】
突出部１３３ａ〜１３３ｄは、ベース材本体１３１の裏面（既設上枠１１０側の面）に、ベース材本体１３１の長さ方向に沿って延びるように突設されている。図４に示すように、突出部１３３ａ〜１３３ｄのうちの屋内側の２つの突出部１３３ａ、１３３ｂは、額縁部材３の内周面３ａに対向して配置されている。ベース材本体１３１の屋内側の端部は、既設上枠１１０のアングル部１１２に対して、突出部１３３ａ、１３３ｂの間にねじ込まれた取付けねじ１３４によって固定されている。このとき、２つの突出部１３３ａ、１３３ｂは、額縁部材３の内周面３ａとベース材本体１３１との間の距離を一定に保持可能となっている。
【００２９】
最も屋内側の突出部１３３ａは、ベース材本体１３１の最も屋内側の端部に配置されている。この突出部１３３ａの屋内側の側面は、上枠ベース材１３０の屋内側面１３０ａを形成している。図４に示すように、この屋内側面１３０ａは、新設上枠１２０のアングルカバー１２４を除く屋内側面１２０ａと同一面上に配置されている。アングルカバー１２４は、上枠ベース材１３０の屋内側面１３０ａと新設上枠１２０の屋内側面１２０ａとに亘って、これら屋内側面１２０ａ、１３０ａを覆うように装着されている。
【００３０】
また、突出部１３３ａ〜１３３ｄは、既設上枠１１０の屋外側壁部１１１と上枠ベース材１３０の屋外側壁部１３２との間から雨水が浸入してきた場合に、その雨水を堰き止め、それ以上屋内側に浸入することを防止する機能をも有している。特に、最も屋外側の突出部１３３ｄは、屋外側から浸入する雨水を最初に堰き止める第１堰として機能する。
【００３１】
ａ４．上枠ベース材の取り付け構造
図４に示すように、上枠ベース材１３０の屋外側は、取付け部材４０によって、既設上枠１１０の屋外側壁部１１１に固定されている。この取付け部材４０の詳細について、更に図１０〜図１２を参照して説明する。図１０は、上枠ベース材１３０を裏面側から見た部分斜視図であり、図１１は、取付け部材４０を屋内側から見た正面図であり、図１２は、取付け部材４０の縦断面図である。なお、図１０では、構成の理解を容易にするため、既設上枠１１０の図示を省略した。
【００３２】
取付け部材４０は、ベース材本体１３１の裏面に取り付けられる基部４１と、既設上枠１１０の屋外側壁部１１１に取り付けられる取付け片４２と、基部４１に回転可能に保持される皿ねじからなる高さ調整ねじ４３と、を備える。この取付け部材４０は、上枠ベース材１３０の長さに応じて、１又は複数設けられる。
【００３３】
基部４１は、平板状の金属板からなり、表面（既設上枠１１０側の面）に一対の支持板部４１ａ、４１ａが立設されている。各支持板部４１ａ、４１ａは、屋内外方向に沿って平行に配置され、上枠ベース材１３０の長さ方向に所定の間隔をおいて立設されている。一対の支持板部４１ａ、４１ａの間隔は、後述する取付け片４２の長さ（上枠ベース材１３０の長さ方向に沿う長さ）と同程度に設定されている。
【００３４】
ベース材本体１３１には、図９に示すように、屋内外方向に沿って延びる複数のねじ挿入用の長穴１３６が形成されている。長穴１３６は、最も屋外側の突出部１３３ｄよりも屋外側に配置されている。図９は、２つの取付け部材４０が取り付けられる上枠ベース材１３０を示しており、１組の取付け部材４０に対して２つずつの長穴１３６が設けられている。基部４１は、この長穴１３６を貫通する取付けねじ４４により、ベース材本体１３１に固定される。長穴１３６は屋内外方向に長いため、基部４１の屋内外方向の固定位置を微調整することができる。
【００３５】
取付け片４２は、ベース材本体１３１と略平行に延びる金属板からなる。取付け片４２の上面（既設上枠１１０側の面）には、一対の挟持片４２ａ、４２ａが立設されている。挟持片４２ａ、４２ａは、上枠ベース材１３０の長さ方向に沿って延びている。挟持片４２ａ、４２ａは、図１２に示すように、既設上枠１１０の屋外側壁部１１１の下方側から、屋外側壁部１１１を間に挟むように収容している。取付け片４２は、挟持片４２ａ、４２ａの間に挟まれる屋外側壁部１１１の下方から屋内側に向けて張り出すように延び、基部４１上の一対の支持板部４１ａ、４１ａの間に挟まれるように配置されている。
【００３６】
一対の挟持片４２ａ、４２ａの間に、屋外側壁部１１１を挟んだ状態で、下方側から取付け片４２を貫通する取付けねじ４５がねじ込まれている。ここで、挟持片４２ａ、４２ａの間隔は、屋外側壁部１１１の厚みと取付けねじ４５のねじ山部分の外径とを足した寸法よりも僅かに狭く設定されている。従って、挟持片４２ａ、４２ａの間の屋外側壁部１１１は、一方の挟持片４２ａ（本実施形態では屋外側の挟持片４２ａ）と取付けねじ４５との間で挟持される。このとき、取付けねじ４５のねじ山は、屋外側壁部１１１と挟持片４２ａとにそれぞれ食い込むので、取付けねじ４５が容易に抜け落ちることはなく、取付け片４２を屋外側壁部１１１にしっかりと固定することができる。
【００３７】
図１２に示すように、屋外側の挟持片４２ａと屋外側壁部１１１との間には、両面テープ４６が介在され、挟持片４２ａと屋外側壁部１１１とを接着している。両面テープ４６は、挟持片４２ａと屋外側壁部１１１との相対的な動きを制限し、取付けねじ４５の回転に連動して取付け片４２が横方向にスライドしてしまうことを防止する。これにより、取付け片４２を屋外側壁部１１１に固定する際の作業性が向上する。
【００３８】
高さ調整ねじ４３は、取付け片４２を基部４１に対して高さ調整可能に固定する。具体的には、一対の支持板部４１ａ、４１ａの間の基部４１の表面に、高さ調整ねじ４３の頭部４３ａを保持するための一対の保持爪部４１ｂ、４１ｂが設けられている。保持爪部４１ｂ、４１ｂは、高さ調整ねじ４３の頭部４３ａを回転可能に保持する。高さ調整ねじ４３は、保持爪部４１ｂ、４１ｂによって頭部４３ａが回転可能に保持された状態で、一対の挟持片４２ａ、４２ａよりも屋内側の取付け片４２に対して螺合することにより、取付け片４２を基部４１に固定する。これにより、上枠ベース材１３０の屋外側の端部が既設上枠１１０に対して固定される。
【００３９】
保持爪部４１ｂ、４１ｂの間には、高さ調整ねじ４３の頭部４３ａの外径よりも小径な操作穴４１ｃが形成されている。高さ調整ねじ４３の頭部４３ａの上面（ドライバー溝を有する面）は、操作穴４１ｃ内に臨んでいる。また、図９〜図１１に示すように、上枠ベース材１３０のベース材本体１３１には、隣り合う長穴１３６の間に、操作穴４１ｃよりも大きな穴部１３７を有する。操作穴４１ｃは、このベース材本体１３１の穴部１３７内に配置されている。このため、ベース材本体１３１の下方側から穴部１３７を通して、操作穴４１ｃ内に臨む高さ調整ねじ４３の頭部４３ａをドライバー等によって回転操作することができるようになっている。
【００４０】
高さ調整ねじ４３と螺合する取付け片４２は、一対の支持板部４１ａ、４１ａの間に挟まれることにより回転不能であるため、高さ調整ねじ４３が回転すると、取付け片４２は支持板部４１ａ、４１ａに挟まれた状態で、高さ調整ねじ４３の軸線方向に沿って上下方向に移動する。これにより、上枠ベース材１３０の屋外側の高さ調整が可能となり、上枠ベース材１３０の水平度を容易に微調整することができる。
【００４１】
ここで、図４に示すように、上枠ベース材１３０は、ベース材本体１３１と既設上枠１１０の内周面１１０ａ及び額縁部材３の内周面３ａとの間に所定の空間部Ｓ１を有して、既設上枠１１０の内周側に取り付けられる。この空間部Ｓ１は、上枠ベース材１３０の２つの突出部１３３ａ、１３３ｂと高さ調整可能な取付け部材４０とによって規定されるものであり、本実施形態では、上枠ベース材１３０のベース材本体１３１と額縁部材３の内周面３ａとの間隔が、既設上枠１１０の突出片１１３の突出高さ（５ｍｍ程度）と同じか、それよりもやや大きくなるように設定される。これにより、既設上枠１１０の突出片１１３は、空間部Ｓ１内に完全に収容され、上枠ベース材１３０と干渉しないため、既設上枠１１０の内周側に上枠ベース材１３０を容易に取り付けることが可能となっている。
【００４２】
また、本実施形態に示す上枠ベース材１３０では、屋内側に配置される２つの突出部１３３ａ、１３３ｂが、額縁部材３の内周面３ａとベース材本体１３１との間の距離を一定に保持可能であるため、上枠ベース材１３０が新設上枠１２０に押されて既設上枠１１０側に移動するようなことがあっても、ベース材本体１３１が既設上枠１１０に過度に近接することが避けられ、突出片１１３が収容される空間部Ｓ１を確保することができる。
【００４３】
改装サッシ１の上枠１００の施工に際しては、先ず、既設上枠１１０の内周側に突出する既設側壁部１１１ａや既設突出片１１３ａを切断する。このとき、既設突出片１１３ａは、額縁部材３の内周面３ａと面一状に切断することが困難であるため、額縁部材３の内周面３ａよりも開口部２の内側に突出して残存するように切断される。これにより、既設上枠１１０に切り残された突出片（突出片残部）１１３を形成する。次いで、既設上枠１１０の内周側に、既設上枠１１０及び額縁部材３の内周面３ａとの間に空間部Ｓ１を設けるようにして上枠ベース材１３０を取り付け、突出片１１３を空間部Ｓ１内に収容する。これにより、既設上枠１１０に、額縁部材３の内周面３ａよりも突出する突出片１１３が突出してしても、既設上枠１１０の内周側に上枠ベース材１３０を容易に取り付けることができる。
【００４４】
ａ５．上枠の止水構造
図４に示すように、上枠ベース材１３０の屋内側の２つの突出部１３３ａ、１３３ｂと額縁部材３の内周面３ａ（既設上枠１１０のアングル部１１２の表面）との間には、止水テープ１５０が介在されている。止水テープ１５０は、既設上枠１１０の突出片１１３を被覆すると共に、新設上枠１２０の見切り材１２５の近傍に亘って貼着されている。
【００４５】
また、新設上枠１２０の屋内側面１２０ａと上枠ベース材１３０の屋内側面１３０ａとに亘って、止水テープ１５１が貼着されている。止水テープ１５１は、上枠ベース材１３０の屋内側面１３０ａから、止水テープ１５０の額縁部材３の内周面３ａに貼着される部位に重なるように延びている。本実施形態では、上枠ベース材１３０の屋内側面１３０ａと新設上枠１２０の屋内側面１２０ａとは同一面上に配置されている。これにより、止水テープ１５１を平面的に貼着することができるため、貼着作業性が良いと共に、貼着状態も良好となり、止水機能を向上させることができる。なお、本実施形態では、スペーサ部材１４０の屋内側面１４０ａも、屋内側面１２０ａ、１３０ａと同一面上に配置されているが、スペーサ部材１４０の屋内側面１４０ａの位置は特に限定されない。
【００４６】
更に、図４、図１０に示すように、既設上枠１１０と新設上枠１２０との間には、発泡ゴム等からなる複数の止水材１６０〜１６２が介在されている。これら止水材１６０〜１６２は、新設上枠１２０の長さ方向に沿って長尺に延びている。
【００４７】
止水材１６０は、既設上枠１１０の屋外側壁部１１１と新設上枠１２０の屋外側壁部１２２との間に配置され、これら屋外側壁部１１１と屋外側壁部１２２との間で挟持されている。この止水材１６０は、本発明の第１の止水材に対応する。
【００４８】
止水材１６０は、既設上枠１１０の屋外側壁部１１１との間、及び新設上枠１２０の屋外側壁部１２２との間をそれぞれ止水する。上枠ベース材１３０の屋外側壁部１３２の上端部１３２ａは、この止水材１６０よりも下に配置されている。従って、止水材１６０は、屋外側壁部１１１と屋外側壁部１２２との間において、最も上に配置されている。これにより、図４中に矢印で示すように、既設上枠１１０と新設上枠１２０との間に雨水が浸入しても、止水材１６０によって止水される。上枠ベース材１３０の屋外側壁部１３２は、この止水材１６０よりも下位であるため、止水材１６０の止水機能に影響を与えることはない。
【００４９】
この止水材１６０は、上枠ベース材１３０の長さ方向の全長に亘って設けられている。上枠ベース材１３０は、少なくとも新設上枠１２０の長さ方向の全長に亘って設けられるため、止水材１６０によって上枠１００の長さ方向の全長に亘って止水を行うことができる。
【００５０】
上枠ベース材１３０の屋外側壁部１３２の上端部１３２ａは、止水材１６０の下側面１６０ａに当接している。これにより、止水材１６０は、上端部１３２ａによって安定的に支持されるため、長期に亘って止水機能を発揮することができる。
【００５１】
止水材１６１は、新設上枠１２０の屋外側壁部１２２と上枠ベース材１３０の屋外側壁部１３２との間で挟持されている。この止水材１６１は、本発明の第２の止水材に対応する。
【００５２】
止水材１６１は、上記止水材１６０よりも下位で止水を行うものであり、止水材１６０の止水機能を補完する。この止水材１６１は、止水材１６０の止水機能をより確実に補完する観点から、図４に示すように、新設上枠１２０の屋外側壁部１２２と上枠ベース材１３０の屋外側壁部１３２との間において、上下方向に複数配置されることが好ましい。
【００５３】
止水材１６２は、ベース材本体１３１に形成される長穴１３６及び穴部１３７よりも屋内側、且つ取付けねじ１２６ｂよりも屋外側に配置され、新設上枠１２０とベース材本体１３１との間で挟持されている。この止水材１６２は、万一、新設上枠１２０と上枠ベース材１３０との間に雨水が浸入した場合に、屋外側に更に雨水が浸入することを防止する。
【００５４】
＜Ｂ．下枠＞
次に、下枠２００について説明する。図２、図５に示すように、下枠２００は、既設下枠２１０と、新設下枠２２０と、下枠ベース材２３０と、を含んで構成される。
【００５５】
ｂ１．既設下枠
既設下枠２１０は、建物の開口部２の下側部の屋外側に取り付けられている。既設下枠２１０は、見込み壁部２１０ａから、上方に配置される新設下枠２２０に向けて立設される立壁部２１１を有する。立壁部２１１は、既設下枠２１０の長さ方向に沿って連続して配置されている。見込み壁部２１０ａは、屋外側に向けてやや下り傾斜しており、立壁部２１１は、その見込み壁部２１０ａの屋外側の端部に配置されている。本実施形態に示す立壁部２１１は、額縁部材３の内周面３ａと同程度の高さで突出するように設けられるが、これに限定されない。
【００５６】
既設下枠２１０は、立壁部２１１よりも屋外側に、立壁部２１１の下部から屋外側に向けてやや下り傾斜するように張り出した張出部２１２を有する。張出部２１２は、立壁部２１１と見込み壁部２１０ａとの接続部位２１０ｂよりも下方の位置において立壁部２１１から屋外側に向けて張り出している。張出部２１２の屋外側の端部には、下方に向けて延びる屋外側壁部２１３を有する。また、既設下枠２１０は、屋内側の端部に、屋内側に向けて張り出すように延びるアングル部２１４を一体に有する。アングル部２１４は、額縁部材３の内周面３ａの屋外側の端部に固定されている。
【００５７】
ｂ２．新設下枠
新設下枠２２０は、下枠ベース材２３０を間に挟んで、既設下枠２１０の内周側に取り付けられる。新設下枠２２０は、主として金属製の枠体からなり、屋外側の端部に、下方に向けて延びる屋外側壁部２２１を有する。屋外側壁部２２１は、既設下枠２１０の屋外側壁部２１３と略平行に延び、その屋外側壁部２１３の全体を覆い隠すように配置されている。
【００５８】
新設下枠２２０は、屋内側の端部に、屋内側に向けて張り出すように延びる樹脂製のアングル部材２２２を有する。アングル部材２２２は、網戸３０が納められる溝部１１と一体に形成され、額縁部材３の内周面３ａから間隔をおいて配置されている。このアングル部材２２２と額縁部材３の内周面３ａとの間に樹脂製のアングルカバー２２３が取り付けられている。アングルカバー２２３と額縁部材３の内周面３ａとの境目は、樹脂製のＬ型の見切り材２２４によって遮蔽されている。見切り材２２４は、額縁部材３の内周面３ａに取付けねじ２２４ａによって固定されている。
【００５９】
新設下枠２２０は、下枠ベース材２３０を貫通する取付けねじ２２５によって固定される。この取付けねじ２２５は、下枠ベース材２３０を貫通するが、既設下枠２１０を貫通していない。取付けねじ２２５は、既設下枠２１０の立壁部２１１よりも屋内側に配置される。
【００６０】
ｂ３．下枠ベース材
下枠ベース材２３０は、既設下枠２１０と新設下枠２２０との間に配置される。図８に示すように、下枠ベース材２３０は、既設下枠２１０の長さ方向に沿って間隔をおいて複数設けられる。
【００６１】
下枠ベース材２３０の詳細を図１３に示す。図１３は下枠ベース材２３０の斜視図である。下枠ベース材２３０は金属製であり、ベース材本体２３１と、屋外側壁部２３２と、突出段部２３３と、連結部２３４と、複数の突出部２３５ａ〜２３５ｃと、を一体に有する。
【００６２】
ベース材本体２３１は、下枠２００の延び方向に沿う長さに対して十分に短尺な板状部材からなり、既設下枠２１０の内周側を屋内外方向に亘って覆うことにより、新設下枠２２０のための略平坦な取付け面を形成する。ベース材本体２３１の屋内側の端部は、既設下枠２１０のアングル部２１４を覆うように、額縁部材３の内周面３ａ上に配置されている。
【００６３】
屋外側壁部２３２は、ベース材本体２３１の屋外側の端部から下方に向けて延びている。屋外側壁部２３２は、既設下枠２１０の屋外側壁部２１３と略平行に延び、新設下枠２２０の屋外側壁部２２１と既設下枠２１０の屋外側壁部２１３との間において、新設下枠２２０の屋外側壁部２２１と同程度の長さで配置されている。
【００６４】
突出段部２３３は、ベース材本体２３１と屋外側壁部２３２との接続部位に配置され、屋外側壁部２３２よりも屋外側に向けて部分的に屈曲して張り出すように、ベース材本体２３１から屋外側壁部２３２にかけて一体に形成されている。
【００６５】
図５に示すように、新設下枠２２０の屋外側壁部２２１は、屋外側から突出段部２３３に当接している。このため、新設下枠２２０の屋外側壁部２２１は、下枠ベース材２３０の屋外側壁部２３２よりも、突出段部２３３の突出分だけ屋外側に位置している。この突出段部２３３の屋外側への突出分は、図４に示すように、新設上枠１２０の屋外側壁部１２２が、新設上枠１２０の屋外側壁部１２２に設けられたリブ１２２ｂ、１２２ｃ、上枠ベース材１３０の屋外側壁部１３２、及び、取付け部材４０における取付け片４２の挟持片４２ａの存在によって、屋外側へ張り出すように配置される分に相当する。このため、新設下枠２２０の屋外側壁部２２１を突出段部２３３に当接させることで、新設上枠１２０の屋外側壁部１２２と新設下枠２２０の屋外側壁部２２１とを同一面に揃えることができる。
【００６６】
なお、新設下枠２２０の屋外側壁部２２１は、後述する新設縦枠３２０、４２０の第１屋外側壁部３２１ａ、４２１ａに対しても同一面となるように揃えられている。これにより、改装サッシ１の見付け面（屋外側壁部１２２、２２１、３２１ａ、４２１ａの表面）は、四周に亘って同一面に揃えられるため、改装サッシ１の屋外側からの見栄えが良好となっている。
【００６７】
連結部２３４は、ベース材本体２３１において屋外側に配置される屋外側上面部２３１Ａと、屋内側に配置される屋内側上面部２３１Ｂとを連結する部位であり、ベース材本体２３１において、新設下枠２２０の取付けねじ２２５よりも屋内側の位置に、ベース材本体２３１の長さ方向に沿って設けられる。
【００６８】
屋外側上面部２３１Ａと屋内側上面部２３１Ｂは、下枠ベース材２３０の上面を構成する。屋外側上面部２３１Ａと屋内側上面部２３１Ｂとは、連結部２３４を境にして、上枠１００側に向けた高さが異なっている。即ち、ベース材本体２３１は、連結部２３４を境にして、屋内側上面部２３１Ｂの方が屋外側上面部２３１Ａに比べて上枠１００側に向けて高くなっており、下枠ベース材２３０の上面は、連結部２３４において段差形状となっている。このため、屋外側から新設下枠２２０と下枠ベース材２３０との間に雨水浸入しても、連結部２３４よりも屋内側に浸入することはない。従って、この下枠ベース材２３０によれば、浸入した雨水をベース材本体２３１の屋外側上面部２３１Ａ内に堰き止めることができ、屋内側上面部２３１Ｂへの雨水の浸入を防止することができる。
【００６９】
本実施形態の連結部２３４は、屋内側上面部２３１Ｂから屋外側上面部２３１Ａに向けて下り傾斜する傾斜面で構成されるが、連結部２３４は傾斜面に限定されず、略垂直な壁面であってもよい。
【００７０】
突出部２３５ａ〜２３５ｃは、ベース材本体２３１の裏面（既設下枠２１０側の面）において、屋内側上面部２３１Ｂに突設され、ベース材本体２３１の長さ方向に沿って平行に延びている。突出部２３５ａ〜２３５ｃの突出高さは、連結部２３４を境にしたベース材本体２３１の屋外側上面部２３１Ａと屋内側上面部２３１Ｂとの高さの差分よりも僅かに低い程度とされる。
【００７１】
図５に示すように、突出部２３５ａ〜２３５ｃは、額縁部材３の内周面３ａに対向して配置されている。ベース材本体２３１は、既設下枠２１０のアングル部２１４に対して、突出部２３５ｂ、２３５ｃの間で取付けねじ２３６によって固定されている。このとき、突出部２３５ａ〜２３５ｃは、額縁部材３の内周面３ａとベース材本体２３１との間の距離を一定に保持可能である。
【００７２】
最も屋内側の突出部２３５ａは、ベース材本体２３１の屋内側の端部に配置されている。この突出部２３５ａの屋内側の側面は、下枠ベース材２３０の屋内側面２３０ａを形成する。図５に示すように、この屋内側面２３０ａは、新設下枠２２０のアングルカバー２２３を除く屋内側面２２０ａと同一面上に配置されている。アングルカバー２２３は、下枠ベース材２３０の屋内側面２３０ａと新設下枠２２０の屋内側面２２０ａとに亘って、これら屋内側面２２０ａ、２３０ａを覆うように装着されている。
【００７３】
ｂ４．下枠ベース材の取り付け構造
図２、図５に示すように、下枠ベース材２３０の屋外側は、高さ調整機構５０を介して、既設下枠２１０の張出部２１２上に載置されている。この高さ調整機構５０の詳細について、更に図１４、図１５を参照して説明する。図１４は、高さ調整機構５０を正面から見た断面図であり、図１５は、高さ調整機構５０を側面から見た断面図である。
【００７４】
高さ調整機構５０は、ベース材本体２３１の裏面に取り付けられる基部５１と、基部５１に回転可能に保持される皿ねじからなる高さ調整ねじ５２と、高さ調整ねじ５２に螺合する支持脚部５３と、を備える。
【００７５】
基部５１は、ベース材本体２３１の裏面に当接する当接部５１ａと、当接部５１ａの屋内側及び屋外側の両端部から下方に向けて垂下する一対の側壁部５１ｂ、５１ｂと、を有する。当接部５１ａ及び側壁部５１ｂ、５１ｂは、下枠ベース材２３０の長さ方向に沿って延びている。
【００７６】
側壁部５１ｂ、５１ｂの間には、高さ調整ねじ５２が収容されている。具体的には、側壁部５１ｂ、５１ｂの内面に、高さ調整ねじ５２の頭部５２ａの断面形状に沿う保持段部５１ｃ、５１ｃがそれぞれ形成されている。高さ調整ねじ５２の頭部５２ａは、基部５１の側方から当接部５１ａと一対の保持段部５１ｃ、５１ｃとの間に挿入されることにより、当接部５１ａと保持段部５１ｃ、５１ｃとの間に回転可能に保持されている。
【００７７】
図１３に示すように、下枠ベース材２３０のベース材本体２３１には、屋内外方向に沿って延びる２つのねじ挿入用の長穴２３７が形成されている。図１４に示すように、基部５１は、この長穴２３７をそれぞれ貫通する２つの取付けねじ５４により、ベース材本体２３１に固定される。長穴２３７は屋内外方向に長いため、基部５１の屋内外方向の固定位置を微調整することができる。
【００７８】
当接部５１ａには、高さ調整ねじ５２の頭部５２ａの外径よりも小径な貫通穴５１ｄが形成されている。高さ調整ねじ５２の頭部５２ａの上面（ドライバー溝を有する面）は、貫通穴５１ｄ内に臨んでいる。また、図１３〜図１５に示すように、下枠ベース材２３０のベース材本体２３１には、隣り合う長穴２３７の間に、長穴２３７と同様に形成された長穴２３８を有する。貫通穴５１ｄは、この長穴２３８の内側に臨むように配置されている。
【００７９】
支持脚部５３は、高さ調整ねじ５２に螺合する螺合部５３ａと、螺合部５３ａから高さ調整ねじ５２を挟んで下方に向けて延びる一対のＬ型の脚部５３ｂ、５３ｂと、を有する。脚部５３ｂ、５３ｂは、既設下枠２１０の張出部２１２上に載置される。支持脚部５３の屋内外方向の厚みは、基部５１の一対の側壁部５１ｂ、５２ｂの間隔とほぼ同じである。このため、図１５に示すように、螺合部５３ａを高さ調整ねじ５２に螺合させた状態の支持脚部５３は、一対の側壁部５１ｂ、５１ｂと面接触して屋内外方向から支持される。
【００８０】
高さ調整機構５０による高さ調整は、下枠ベース材２３０の上方側から長穴２３８を通して、貫通穴５１ｄ内に臨む高さ調整ねじ５２の頭部５２ａがドライバー等によって回転操作されることによって行われる。支持脚部５３は、一対の側壁部５１ｂ、５１ｂの間に挟まれて回転不能であるため、高さ調整ねじ５２の頭部５２ａが回転操作されると、支持脚部５３は側壁部５１ｂ、５１ｂの間を高さ調整ねじ５２の軸線方向に沿って上下方向に移動する。これにより、下枠ベース材２３０の屋外側の高さが調整されるので、下枠ベース材２３０の水平度を容易に微調整することができる。
【００８１】
このとき、高さ調整機構５０の支持脚部５３は、下り傾斜する張出部２１２上に当接するが、一対の側壁部５１ｂ、５１ｂによって支持されているため、傾くおそれはない。このため、高さ調整機構５０は、下枠ベース材２３０の屋外側を高さ調整可能に安定して支持することができる。
【００８２】
また、支持脚部５３の一対の脚部５３ｂ、５３ｂはＬ型に形成され、下枠ベース材２３０の長さ方向（図１４の左右方向）に沿って左右に張り出す形状を有するため、既設下枠２１０の張出部２１２に対する接触面積を大きく確保することができる。このため、高さ調整機構５０は、下枠ベース材２３０に掛かる荷重を安定して受け止めることができる。
【００８３】
ｂ５．下枠の止水構造
図５に示すように、下枠ベース材２３０の突出部２３５ａ〜２３５ｃと額縁部材３の内周面３ａ（既設下枠２１０のアングル部２１４の表面）との間には、止水テープ２４０が介在されている。止水テープ２４０は、突出部２３５ａ〜２３５ｃと額縁部材３の内周面３ａとの間において、新設下枠２２０の見切り材２２４の近傍に亘って貼着されている。
【００８４】
また、新設下枠２２０の屋内側面２２０ａと下枠ベース材２３０の屋内側面２３０ａとに亘って、止水テープ２４１が貼着されている。止水テープ２４１は、下枠ベース材２３０の屋内側面２３０ａから、止水テープ２４０の額縁部材３の内周面３ａに貼着される部位に亘って延びている。本実施形態では、下枠ベース材２３０の屋内側面２３０ａと新設下枠２２０の屋内側面２２０ａとは同一面上に配置されている。これにより、止水テープ２４１を平面的に貼着することができるため、貼着作業性が良いと共に、貼着状態も良好となり、止水機能を向上させることができる。
【００８５】
＜Ｃ．縦枠＞
次に、縦枠３００、４００について説明する。図３、図６、図７に示すように、縦枠３００、４００は、既設縦枠３１０、４１０と、新設縦枠３２０、４２０と、縦枠ベース材３３０、４３０と、を含んで構成される。
【００８６】
ｃ１．既設縦枠
既設縦枠３１０、４１０は、建物の開口部２の屋外側の左右縦側部にそれぞれ取り付けられている。既設縦枠３１０、４１０は、屋外側の端部に、左右の外側方に向けて延びる屋外側壁部３１１、４１１を有し、屋内側の端部に、屋内側に向けて張り出すように延びるアングル部３１２、４１２を一体に有する。アングル部３１２、４１２は、額縁部材３の内周面３ａの屋外側の端部に固定されている。
【００８７】
既設縦枠３１０、４１０の内周面３１０ａ、４１０ａは、左右の額縁部材３の内周面３ａとそれぞれ面一状に配置されている。
【００８８】
既設縦枠３１０、４１０は、内周面３１０ａ、４１０ａから開口部２の内側（図３の中央側、図６の右側、図７の左側）に向けて突出する複数（本実施形態では３つ）の突出片３１３、４１３を有する。突出片３１３、４１３は、既設縦枠３１０、４１０の長さ方向に沿って平行に延びている。
【００８９】
突出片３１３、４１３は、改装サッシ１に改装される前の既設縦枠３１０、４１０に元々設けられていたフィンやリブ等の既設突出片３１３ａ、４１３ａ（図６、図７において破線で示す。）が切断された際に切り残された既設突出片３１３ａ、４１３ａの根元部分からなる突出片残部である。各突出片３１３、４１３は、ほぼ同一高さであり、額縁部材３の内周面３ａよりも更に開口部２の内側に向けて突出している。本実施形態では、突出片３１３、４１３は、額縁部材３の内周面３ａよりも５ｍｍ程度突出している。
【００９０】
ｃ２．新設縦枠
新設縦枠３２０、４２０は、縦枠ベース材３３０、４３０を間に挟んで、既設縦枠３１０、４１０の内周側に取り付けられる。新設縦枠３２０、４２０は、主として金属製の枠体からなり、屋外側の端部に、左右の外側方に向けて延びる第１屋外側壁部３２１ａ、４２１ａを一体に有し、更に第１屋外側壁部３２１ａ、４２１ａの端部に、屋内側に向けて延びる第２屋外側壁部３２１ｂ、４２１ｂを一体に有する。
【００９１】
第１屋外側壁部３２１ａ、４２１ａは、既設縦枠３１０、４１０の屋外側壁部３１１、４１１と略平行に延び、その屋外側壁部３１１、４１１の全体を覆い隠すように配置されている。また、第２屋外側壁部３２１ｂ、４２１ｂは、既設縦枠３１０、４１０の屋外側壁部３１１、４１１を、左右の外側方から覆い隠すように配置されている。
【００９２】
新設縦枠３２０、４２０は、屋内側の端部に、屋内側に向けて張り出すように延びる樹脂製のアングル部材３２２、４２２を有する。アングル部材３２２、４２２は、網戸３０が納められる溝部１１と一体に形成され、額縁部材３の内周面３ａから間隔をおいて配置されている。このアングル部材３２２、４２２と額縁部材３の内周面３ａとの間に樹脂製のアングルカバー３２３、４２３が取り付けられている。アングルカバー３２３、４２３と額縁部材３の内周面３ａとの境目は、樹脂製のＬ型の見切り材３２４、４２４によって遮蔽されている。見切り材３２４、４２４は、額縁部材３の内周面３ａに取付けねじ３２４ａ、４２４ａによって固定されている。
【００９３】
新設縦枠３２０、４２０は、縦枠ベース材３３０、４３０との間にスペーサ部材３２５、４２５を介して、取付けねじ３２６ａ、３２６ｂ、４２６ａ、４２６ｂによって固定される。取付けねじ３２６ａ、４２６ａは、縦枠ベース材３３０、４３０の中央部を貫通し、既設縦枠３１０、４１０にねじ込まれている。また、取付けねじ３２６ｂ、４２６ｂは、溝部１１の底部から縦枠ベース材３３０、４３０の屋内側の端部付近を貫通している。
【００９４】
ｃ３．縦枠ベース材
縦枠ベース材３３０、４３０は、既設縦枠３１０、４１０と新設縦枠３２０、４２０との間に配置される。図８に示すように、縦枠ベース材３３０、４３０は、既設縦枠３１０、４１０の長さ方向に沿って間隔をおいて複数設けられる。縦枠ベース材３３０と縦枠ベース材４３０とは同一構成である。
【００９５】
縦枠ベース材３３０、４３０の詳細を図１６に示す。図１６は、縦枠ベース材３３０、４３０の裏面側を屋外側から見た斜視図である。縦枠ベース材３３０、４３０は、金属製であり、ベース材本体３３１、４３１と、屋外側壁部３３２、４３２と、突出部３３３、４３３と、を一体に有する。
【００９６】
ベース材本体３３１、４３１は、既設縦枠３１０、４１０の長さ方向の長さに対して十分に短尺な板状部材からなり、既設縦枠３１０、４１０の内周側を屋内外方向に亘って覆うことにより、新設縦枠３２０、４２０のための略平坦な取付け面を形成する。
【００９７】
図８に示すように、縦枠ベース材３３０、４３０は、既設縦枠３１０、４１０の長さ方向に沿って間隔をおいて複数設けられる。ベース材本体３３１、４３１の屋内側の端部は、既設縦枠３１０、４１０のアングル部３１２、４１２を覆うように額縁部材３の内周面３ａ上に配置されている。
【００９８】
図６、図７に示すように、屋外側壁部３３２、４３２は、ベース材本体３３１、４３１の屋外側の端部から外側方に向けて延びている。屋外側壁部３３２、４３２は、既設縦枠３１０、４１０の屋外側壁部３１１、４１１と略平行に延び、新設縦枠３２０、４２０の第１屋外側壁部３２１ａ、４２１ａと既設縦枠３１０、４１０の屋外側壁部３１１、４１１との間において、屋外側壁部３１１、４１１に当接して配置されている。
【００９９】
突出部３３３、４３３は、ベース材本体３３１、４３１の屋内側の端部に一体に形成されている。突出部３３３、４３３は、額縁部材３の内周面３ａに対向して配置されており、ベース材本体３３１、４３１の裏面（既設縦枠３１０、４１０の側の面）から額縁部材３の内周面３ａに向けて突出している。突出部３３３、４３３の突出高さは、既設縦枠３１０、４１０に残存する突出片３１３、４１３が額縁部材３の内周面３ａに対して突出する高さと同じか、それよりもやや大きい程度とされる。
【０１００】
ｃ４．縦枠ベース材の取り付け構造
縦枠ベース材３３０、４３０は、ベース材本体３３１の裏面の一対の取付けステー３３４、４３４によって既設縦枠３１０、４１０に取り付けられる。各取付けステー３３４、４３４は、縦枠ベース材３３０、４３０の長さ方向に沿って延びる帯状に形成されており、ベース材本体３３１、４３１に形成された屋内外方向に長い長穴３３５、４３５、３３６、４３６に取付けねじ３３７、４３７によって取り付けられている。取付けステー３３４、４３４は、長穴３３５、４３５、３３６、４３６を利用して取り付けられるため、取付けステー３３４、４３４の屋内外方向の取付け位置を微調整することができる。
【０１０１】
各取付けステー３３４、４３４は、取付けねじ３３７、４３７との固定部位よりも両端側に、それぞれ既設縦枠３１０、４１０側に向けて屈曲する屈曲部３３４ｂ、４３４ｂを有する。これにより、取付けステー３３４、４３４の両端部３３４ａ、４３４ａは、ベース材本体３３１、４３１よりも既設縦枠３１０、４１０側に向けて突出する。取付けステー３３４、４３４は、両端部３３４ａ、４３４ａにおいて、それぞれ取付けねじ３３８、４３８によって突出片３１３、４１３を避けた既設縦枠３１０、４１０の内周面３１０ａ、４１０ａに固定されている。これにより、縦枠ベース材３３０、４３０は、既設縦枠３１０、４１０の内周側に取り付けられる。
【０１０２】
ここで、各取付けステー３３４、４３４の両端部３３４ａ、４３４ａは、ベース材本体３３１、４３１よりも既設縦枠３１０、４１０側に向けて突出しているため、ベース材本体３３１、４３１は、既設縦枠３１０、４１０の内周面３１０ａ、４１０ａから、屈曲部３３４ｂ、４３４ｂによる屈曲分の高さだけ離間して配置される。これにより、縦枠ベース材３３０、４３０と既設縦枠３１０、４１０の内周面３１０ａ、４１０ａとの間に、空間部Ｓ２が形成される。
【０１０３】
取付けステー３３４、４３４の屈曲部３３４ｂ、４３４ｂによる屈曲分の高さは、既設縦枠３１０、４１０の突出片３１３、４１３の突出高さ（５ｍｍ程度）と同じか、それよりもやや高くなるように設定される。このため、既設縦枠３１０、４１０の全ての突出片３１３、４１３は、空間部Ｓ２内に収容され、縦枠ベース材３３０、４３０と干渉しないため、既設縦枠３１０、４１０の内周側に縦枠ベース材３３０、４３０を容易に取り付けることが可能となっている。
【０１０４】
また、本実施形態に示す縦枠ベース材３３０、４３０の屋内側の端部には、額縁部材３の内周面３ａに向けて突出する突出部３３３、４３３が設けられているため、この突出部３３３、４３３によって、額縁部材３の内周面３ａとベース材本体３３１、４３１との間の距離が一定に保持可能となっている。このため、縦枠ベース材３３０、４３０に新設縦枠３２０、４２０を取り付けた際に、取付けステー３３４、４３４の撓み等によって縦枠ベース材３３０、４３０が既設縦枠３１０、４１０側に向けて移動するようなことがあっても、ベース材本体３３１、４３１が既設縦枠３１０、４１０に過度に近接することが避けられ、突出片３１３、４１３が収容される空間部Ｓ２を確保することができる。
【０１０５】
改装サッシ１の縦枠３００、４００の施工に際しては、先ず、既設縦枠３１０、４１０の内周側に突出する突出片（既設突出片）３１３ａ、４１３ａを、額縁部材３の内周面３ａよりも開口部２の内側に突出して残存するように切断し、既設縦枠３１０、４１０の内周面３１０ａ、４１０ａ上に切り残された突出片（突出片残部）３１３、４１３を形成する。次いで、既設縦枠３１０、４１０の内周側に、取付けステー３３４、４３４によって、既設縦枠３１０、４１０の内周面３１０ａ、４１０ａとの間に空間部Ｓ２を設けるようにして縦枠ベース材３３０、４３０を取り付け、突出片３１３、４１３を空間部Ｓ２内に収容する。これにより、既設縦枠３１０、４１０に突出片３１３、４１３が突出してしても、既設縦枠３１０、４１０の内周側に縦枠ベース材３３０、４３０を容易に取り付けることができる。
【０１０６】
突出部３３３、４３３は、縦枠ベース材３３０、４３０の最も屋内側の端部に配置されている。この突出部３３３、４３３の屋内側の側面は、縦枠ベース材３３０、４３０の屋内側面３３０ａ、４３０ａを形成している。図６、図７に示すように、この屋内側面３３０ａ、４３０ａは、新設縦枠３２０、４２０のアングルカバー３２３、４２３を除く屋内側面３２０ａ、４２０ａと同一面上に配置されている。アングルカバー３２３、４２３は、縦枠ベース材３３０、４３０の屋内側面３３０ａ、４３０ａと新設縦枠３２０、４２０の屋内側面３２０ａ、４２０ａとに亘って、これら屋内側面３２０ａ、３３０ａ、４２０ａ、４３０ａを覆うように装着されている。
【０１０７】
ｃ５．縦枠の止水構造
図６、図７に示すように、縦枠ベース材３３０、４３０の突出部３３３、４３３と額縁部材３の内周面３ａ（既設縦枠３１０、４１０のアングル部３１２、４１２の表面）との間には、止水テープ３４０、４４０が介在されている。止水テープ３４０、４４０は、既設縦枠３１０、４１０の突出片３１３、４１３から見切り材３２４、４２４の近傍に亘って貼着されている。
【０１０８】
また、新設縦枠３２０、４２０の屋内側面３２０ａ、４２０ａと縦枠ベース材３３０、４３０の屋内側面３３０ａ、４３０ａとに亘って、止水テープ３４１、４４１が貼着されている。止水テープ３４１、４４１は、縦枠ベース材３３０、４３０の屋内側面３３０ａ、４３０ａから、止水テープ３４０、４４０の額縁部材３の内周面３ａに貼着される部位に亘って延びている。本実施形態では、縦枠ベース材３３０、４３０の屋内側面３３０ａ、４３０ａと新設縦枠３２０、４２０の屋内側面３２０ａ、４２０ａとは同一面上に配置されている。これにより、止水テープ３４１、４４１を平面的に貼着することができるため、貼着作業性が良いと共に、貼着状態も良好となり、止水機能を向上させることができる。なお、本実施形態では、スペーサ部材３２５、４２５の屋内側面３２５ａ、４２５ａも、屋内側面３２０ａ、４２０ａ、３３０ａ、４３０ａと同一面上に配置されているが、スペーサ部材３２５、４２５の屋内側面３２５ａ、４２５ａの位置は特に限定されない。
【０１０９】
更に、既設縦枠３１０、４１０と新設縦枠３２０、４２０との間には、発泡ゴム等からなる止水材３５０、４５０が介在されている。止水材３５０、４５０は、既設縦枠３１０、４１０の屋外側壁部３１１、４１１と新設縦枠３２０、４２０の第１屋外側壁部３２１ａ、４２１ａとの間に挟持され、新設縦枠３２０、４２０の長さ方向に沿って長尺に延びている。
【０１１０】
以上の構成を備える窓枠１０は、上枠１００、下枠２００及び左右の縦枠３００、４００により矩形に枠組みされる。これにより、改装サッシ１の新設枠（新設上枠１２０、新設下枠２２０及び新設縦枠３２０、４２０）は、各ベース材１３０、２３０、３３０、４３０を介して、既設枠（既設上枠１１０、既設下枠２１０及び既設縦枠３１０、４１０）の内周側を覆うように取り付けられる。
【０１１１】
図１７は、本発明の他の実施形態に係る改装サッシの上枠の部分拡大断面図である。
この上枠１００において、上枠ベース材１３０の屋外側壁部１３２は、既設上枠１１０の屋外側壁部１１１のほぼ全面を覆い隠すように上方に延びている。新設上枠１２０の屋外側壁部１２２は、上枠ベース材１３０の屋外側壁部１３２と同程度の高さで上方に延びている。
【０１１２】
この上枠１００には、既設上枠１１０の屋外側壁部１１１と新設上枠１２０の屋外側壁部１２２との間に亘って介在される上述した止水材１６０は設けられていない。その代り、既設上枠１１０の屋外側壁部１１１と上枠ベース材１３０の屋外側壁部１３２との間に、止水材１６３が設けられている。止水材１６３は、既設上枠１１０及び上枠ベース材１３０の長さ方向の全長に亘って延びている。止水材１６３は、各屋外側壁部１１１、１３２の間に挟着されることにより、これら屋外側壁部１１１、１３２の間からの雨水の浸入を阻止するように機能する。これにより、上述した止水材１６０を設けるスペースが存在しなくても、止水材１６１、１６３によって、上枠１１０内への雨水の浸入防止を図ることができる。
【符号の説明】
【０１１３】
１  改装サッシ
２  開口部
１１０  既設上枠
１１１  屋外側壁部（第１の屋外側壁部）
１２０  新設上枠
１２２  屋外側壁部（第２の屋外側壁部）
１３０  上枠ベース材
１３２  屋外側壁部（第３の屋外側壁部）
１３２ａ  上端部
１６０  止水材（第１の止水材）
１６０ａ  下側面
１６１  止水材（第２の止水材）
【図１】
2019157536.tif 000003
【図２】
2019157536.tif 000004
【図３】
2019157536.tif 000005
【図４】
2019157536.tif 000006
【図５】
2019157536.tif 000007
【図６】
2019157536.tif 000008
【図７】
2019157536.tif 000009
【図８】
2019157536.tif 000010
【図９】
2019157536.tif 000011
【図１０】
2019157536.tif 000012
【図１１】
2019157536.tif 000013
【図１２】
2019157536.tif 000014
【図１３】
2019157536.tif 000015
【図１４】
2019157536.tif 000016
【図１５】
2019157536.tif 000017
【図１６】
2019157536.tif 000018
【図１７】
2019157536.tif 000019